(57)【要約】【課題】床下の底面による床面の傷つきが発生することなく、より効率的に床面の塵埃を吸引できるようにする。【解決手段】本発明の電気掃除機の吸込具は、吸込具５の床下７に形成された吸込口６の前方に移動体前１１を配置し、吸込具５の床下７に形成された吸込口６の後方に移動体後１２を配置し、この移動体前１１と移動体後１２を夫々バネ等の弾性部材により下方に付勢することにより、移動体前１１と移動体後１２が常に床面に接触するようにした。【選択図】図４
2014212829.tif 000002
【特許請求の範囲】
【請求項１】
塵埃を吸引する吸込口を備えた床下と、床下を覆う床上と、床下と床上により回動自在に保持されたパイプとを有した吸込具において、バネにより常に下方に付勢され上下に移動可能な移動体前と移動体後を吸込口の前方と後方にそれぞれ備え、前記移動体前、移動体後の底面が常に床面に接するように構成した電気掃除機の吸込具。
【請求項２】
移動体の床面接触部から移動用ローラーの床面との接地部から前記床下までの距離以上の範囲に傾斜面を設けた請求項１に記載の電気掃除機の吸込具。
【請求項３】
移動体前には前方に傾斜面、後方に垂直面を設け、移動体後には後方に傾斜面、前方に垂直面を設けた請求項１または請求項２に記載の電気掃除機の吸込具。
【請求項４】
吸込口の前後に配置された移動体前、移動体後を移動用ローラーの床面との接地部から床下までの距離以上に下方へ突出するように移動可能に構成した請求項１〜３のいずれか１項に記載の電気掃除機の吸込具。
【請求項５】
移動体前、後の床面接地部の底面をゴム体、ブラシ、布状の軟質体等で構成した請求項１〜４のいずれか１項に記載の電気掃除機の吸込具。
【請求項６】
移動体前、移動体後を吸込口の幅と略同じ幅にて構成した請求項１〜５のいずれか１項に記載の電気掃除機の吸込具。
【請求項７】
移動体前、移動体後の一部に床面接地部の底面から高さ１ｍｍ以下の溝部を構成した請求項１〜６のいずれか１項に記載の電気掃除機の吸込具。
【発明の詳細な説明】
【技術分野】
【０００１】
本発明は電気掃除機の吸込具に関するものである。
【背景技術】
【０００２】
従来、この種の電気掃除機用吸込具は床面の傷つきを防止するため、吸込口を設けた床下が床面に接しないようにローラーを設ける。または吸込口の後にブラシやゴム体で構成したリップ体を設けて床下が床面に設置しないように構成している（例えば、特許文献１参照）。
【０００３】
図８は、特許文献１に記載された従来の吸込具を示すものである。図８に示すように、吸込具１０１は、吸込口１０２と移動用ローラー１０３と吸込口１０２の後方に可動式のブラシ１０４と、固定式のリップ１０５を有する床下１０６と、床下１０６を覆う床上１０７と、床下１０６と床上１０７とで回動自在に保持されたパイプ１０８から構成されている。
【先行技術文献】
【特許文献】
【０００４】
【特許文献１】実開昭６３−０４８５５０号公報
【発明の概要】
【発明が解決しようとする課題】
【０００５】
しかしながら、前記従来の構成では、移動用のローラー１０３により床下１０６の底面は床面と接することなく吸込具１０１を前後に操作出来るものであるが、床下１０６の底面は床面よりある一定の距離を保って構成されている。吸込具１０１は吸込口１０２より床面の塵埃を吸引するが、その塵埃を吸引するためには、掃除機本体が発生させる負圧を吸込口１０２付近でより高めることがより効率的に塵埃を吸引できるが、前記のように床下と床面とに隙間を設けることは吸込口１０２付近の圧力が落ちてしまい、結果効率的に塵埃を吸引できない課題を有していた。
【０００６】
本発明は、前記従来の課題を解決するもので、床下の底面による床面の傷つきが発生することなく、より効率的に床面の塵埃を吸引でき性能、使用性を向上した電気掃除機の吸込具を提供することを目的とする。
【課題を解決するための手段】
【０００７】
前記従来の課題を解決するために、本発明の電気掃除機の吸込具は、塵埃を吸引する吸込口を備えた床下と、床下を覆う床上と、床下と床上により回動自在に保持されたパイプとを有した吸込具において、バネにより下方に付勢され上下に移動可能な移動体前と移動体後を吸込口の前方と後方にそれぞれ備え、前記移動体前、移動体後の底面が常に床面に接するように構成したものである。
【０００８】
これによって、吸込口の前方および後方が常に床面と接することにより、吸込口周辺の圧力を高めることが可能となり床面の塵埃をより多く吸引できるもので、吸込口の圧力高め塵埃をより効果的に吸引ができ性能を向上できる。
【発明の効果】
【０００９】
本発明の吸込み具は、床面の傷つきを防止し使用性を向上させるとともに、床面の塵埃をより効率的に吸引ができ性能を向上することができる。
【図面の簡単な説明】
【００１０】
【図１】本発明の実施の形態１における電気掃除機の外観図
【図２】本発明の実施の形態１における吸込具の斜視図
【図３】本発明の実施の形態１における吸込具の底面図
【図４】本発明の実施の形態１における吸込具の断面図
【図５】本発明の実施の形態２における（ａ）は吸込具の断面図（ｂ）は吸込具の前方への移動時の断面図
【図６】本発明の実施の形態２における（ａ）は移動体の突出可能距離を示した吸込具の断面図（ｂ）は段差を有した床面を移動時の吸込み具の断面図
【図７】本発明の実施の形態３における（ａ）は吸込具の底面図（ｂ）は移動体前後に設けた溝部位置での吸込具の断面図（ｃ）は吸込具の断面図
【図８】従来の吸込具の断面図
【発明を実施するための形態】
【００１１】
第１の実施態様は、前記従来の課題を解決するために、本発明の電気掃除機の吸込具は、塵埃を吸引する吸込口を備えた床下と、床下を覆う床上と、床下と床上により回動自在に保持されたパイプとを有した吸込具において、バネにより下方に付勢され上下に移動可能な移動体前と移動体後を吸込口の前方と後方にそれぞれ備え、前記移動体前、移動体後の底面が常に床面に接するように構成したものである。
【００１２】
吸込口の前方および後方の移動体の底面が常に床面と接することにより、吸込口周辺の圧力を高めることが可能となり床面の塵埃をより多く吸引できるもので、吸込口の圧力高め塵埃をより効果的に吸引ができ性能を向上できる。
【００１３】
また、第２の実施態様は特に第１の実施態様において、移動体の床面接触部から移動用ローラーの床面との接地部から床下までの距離以上の範囲を傾斜面にすることで、吸込具が前方へ移動時は吸込口の前方の移動体が塵埃により上方へ押し上げられるものである。また、後方への移動時は前記前方への移動と逆となることで、移動体により塵埃を押して吸込口より吸引できなくなることを防止し使用性を向上できるものである。
【００１４】
また、第３の実施態様は特に第１または第２の実施態様において、移動体前は前方に傾斜面、後方に垂直面を設け、移動体後は後方に傾斜面、前方に垂直面を設けた。
【００１５】
これにより、移動体により塵埃を押して吸込口より吸引できなくなることを防止することに加え、吸込具を前方に移動時は、移動体後により吸い残された塵埃を塞き止め、吸込具を後方に移動させる時にはその逆の作用をすることで、第１、第２の発明よりも吸い残しなく効果的に吸引でき性能を向上できる。
【００１６】
また、本発明の第４の実施態様は特に第１の実施態様において、吸込口の前後に配置された移動体前、移動体後を移動用ローラーの床面との接地部から床下までの距離以上に下方へ突出するように移動可能としたもので、段差を有した床面においても、移動体が段差に応じて下方に移動することにより、吸込口の圧力を高め塵埃をより効果的に吸引ができ、性能を向上できる。
【００１７】
また、本発明の第５の実施態様は特に第１〜第４の実施態様において、移動体の底面をゴム体、ブラシ、布状の軟質体等で構成したものであり、常に床面と接する移動体を軟質体で構成することで、床面の傷つきを防止できるもので、さらに使用性の向上が行えるものである。
【００１８】
また、本発明の第６の実施態様は特に第１〜第５の実施態様において、移動体前、移動体後を吸込口の幅と同じ幅にて構成したものであり、吸込口の両端の圧力が加わり難い部分も圧力を高めることが可能となり、より塵埃の吸引が可能でさらに性能の向上が行えるものである。
【００１９】
また、本発明の第７の実施態様は特に第１〜第６の実施態様において、移動体前、移動体後の一部に床面との距離１ｍｍ以下の溝部を設けることで、吸込口近傍の圧力を高めると同時に風の流れを遮断しないため、塵埃をより効果的に吸引することができるものである。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における電気掃除機の外観図、図２は吸込具の斜視図、図３は吸込具の底面図、図４は吸込具の断面図をそれぞれ示したものである。
【００２２】
図１において、１は吸引風を発生させる電動送風機（図示しない）を内蔵した電気掃除機本体であり、電気掃除機本体１に接続され、使用者が操作するハンドル２を有したホース３と、ハンドル２に接続された延長管４と、延長管４に接続された吸込具５、から構成されている。
【００２３】
次に図２、３、４において吸込具５は、吸込口６を形成する床下７と床下７を上方より覆う床上８と、床下７と床上８により回動自在に保持されたパイプ９と、回転自在に保持された移動用のローラー１０を有している。
【００２４】
床下７には、上下に移動可能に保持され、かつ吸込口６の前方に構成された移動体前１１と、床下７に上下に移動可能に保持され、かつ吸込口６の後方に構成された移動体後１２を有している。
【００２５】
次に図４において、移動体前１１および移動体後１２は、下端が常に床面に接するようになっており、上端が床下７との間に配置されたバネ１３により下方に付勢されている。
【００２６】
以上のように構成された電気掃除機の吸込具について、以下その動作、作用を説明する。
【００２７】
まず、図４のように吸込口６は床下７、床上８、パイプ９により構成された吸引通路２２に繋がっており、吸引通路２２は図１に示す延長管４、ハンドル２、ホース３を通じ掃除機本体１に連結される。
【００２８】
これにより電動送風機が発生させる吸引風を吸込具５の吸込口６に伝える。床面の塵埃はこの吸引風の力と、吸引風が床下７と床面の間を通ることにより発生する負圧により吸込口６へと吸い上げられるものである。
【００２９】
次に、吸込口６の前後に配置された移動体を常に床面に接地させ、吸込口６周辺の床下７と床面との間を通る吸引風の通路を少なくすることで、同一の風量をより少ない通路に通すことにより吸込口６周辺の負圧を高めることとなり、その結果、吸込口６周辺の圧力を高め、より多くの塵埃を床面より吸い上げることが可能となる。
【００３０】
次に図４に示すように、移動体前１１、移動体後１２の床面接地部１４の底面をゴム体
、ブラシ、布状の軟質体などで構成することで、床面の傷つきを防止することができる。
【００３１】
次に図３に示すように、移動体前１１と移動体後１２を吸込口６の幅と略同幅にて構成したもので、吸引風を伝えるパイプ９は吸込具５の中心付近にあり、パイプ９より遠ざかる吸込口６の両端は圧力が低下してしまう。そのため、移動体前１１、移動体後１２を吸込口６と略同一幅とすることで、吸込口６の両端の圧力も高めることが可能となり、より塵埃の吸引が可能となる。
【００３２】
また本発明ではハンドル２、ホース３、延長管４を有する電気掃除機としたが、掃除機本体の下に形成された吸込具と本体上部より延びたパイプ、ハンドル部を有する縦型の掃除機。また手持ち式の掃除機の吸込み具でも同様の効果が得られる。
【００３３】
また、本発明では吸込具の移動用ローラーを前方に２個、後方に２個としたが、移動用ローラーを有しない吸込具、前方のみ、もしくは後方のみに構成されても同様の効果が得られる。
【００３４】
（実施の形態２）
図５は本発明の第２の実施の形態を示したものである。各部の動作は実施の形態１に示したものと同一であり、図５（ａ）に示すように移動体前１１、移動体後１２夫々に、床面接地部１４から、移動用ローラー１０の床面との接地部から床下までの距離以上の範囲の傾斜面を構成することで、断面図（ｂ）に示すように吸込具５を前方に移動させた時には、吸込口６前方に配置された移動体前１１が、塵埃により上方に押上げられる。
【００３５】
また吸込具５を後方に移動させた時には、吸込口６後方に配置された移動体後１２が同様の動作を行う。これにより移動体により塵埃を押して吸込口より吸引できなくなることを防止することができる。
【００３６】
次に図５に示すように、移動体後の後方に傾斜面１５、前方に垂直面１６を設けることで、前方へ吸込具を移動させた時に吸い残りを後方に設けられた垂直面１６により塞き止めることで、吸い残しなく塵埃を吸引することができさらに性能の向上ができる。
【００３７】
次に図６（ａ）に示すように、吸込口の前後に配置された移動体前１１、移動体後１２を移動用ローラー１０の床面との接地部から床下７までの距離以上に下方へ突出するように移動可能に構成したもので、図６（ｂ）に示すように、段差を有した床面において、移動体が段差に応じて下方に移動し、移動体の床面接地部１４が床面に接触することにより、吸込口６の圧力を高め塵埃をより効果的に吸引ができ、性能を向上できる。
（実施の形態３）
図７は本発明の第３の実施の形態を示したものである。各部の動作は実施の形態１に示したものと同一であり、図７（ａ）は吸込具５の底面図であり、移動体前１１と移動体後１２の一部に溝部１７を設けた構成となっている。
【００３８】
また、図７（ｂ）は移動体前１１、移動体後１２の溝部１７での吸込具の断面図、即ち、図７（ａ）のＢ−Ｂ線断面図であり、図７（ｃ）は、図７（ａ）のＣ−Ｃ線断面図を示している。
【００３９】
図７（ｃ）に示すように、移動体前１１、移動体後１２の床面接地部１４が床面に接触している位置で、図７（ｂ）に示すように移動体前１１、移動体後１２の溝部１７が床面と接触させず１ｍｍ以下の隙間で近接させる構成としたものである。
【００４０】
図７（ｂ）（ｃ）のように、床面接地部１４の底面を床面と接触させず１ｍｍ以下の隙
間で近接させることで、吸込口６周辺の床下７と床面との間を通る吸引風の通路を少なくし吸込口６周辺の負圧を高めることが可能となるだけでなく、１ｍｍ以下の微小な隙間を設けることで、吸引風の流れを遮断しないため、吸引風による塵埃の吸引の効果も得られるもので、より効果的に塵埃を吸引することができるものである。
【産業上の利用可能性】
【００４１】
以上のように、本発明にかかる電気掃除機の吸込具は、吸込口の前方と後方にそれぞれバネにより常に下方に付勢し、上下に移動可能で常に床面に接触する移動体前、移動体後を設けることで、使用性、塵埃吸引性能を向上させることが可能となるので、電機掃除機吸込具を用いる家庭用電気掃除機及び産業用電気掃除機の分野・用途に好適に運用することができる。
【符号の説明】
【００４２】
５    吸込具
６    吸込口
７    床下
１１  移動体前
１２  移動体後
１３  バネ
１４  床面接地部
１５  傾斜面
１６  垂直面
１７  溝部
【図１】
2014212829.tif 000003
【図２】
2014212829.tif 000004
【図３】
2014212829.tif 000005
【図４】
2014212829.tif 000006
【図５】
2014212829.tif 000007
【図６】
2014212829.tif 000008
【図７】
2014212829.tif 000009
【図８】
2014212829.tif 000010